(57)【要約】【課題】短冊が抜けずらく左右へのずれを防止でき、コストの低減化も図れる金封を提供する。【解決手段】本考案に係る金封２４は、金封本体１０に水引飾り２２を装着してなる金封２４において、前記金封本体１０の表紙１２に、慶弔を表す文字と氏名とを表示するための表示片（短冊）２６の一部を挿入することにより表示片２６を保持可能な切断線２８が設けられていることを特徴とする。【選択図】図１
0003148936.tif 000002
【実用新案登録請求の範囲】
【請求項１】
金封本体に水引飾りを装着してなる金封において、
前記金封本体の表紙に、慶弔を表す文字と氏名とを表示するための表示片の一部を挿入することにより表示片を保持可能な切断線が設けられていることを特徴とする金封。
【請求項２】
前記切断線が、金封本体の表紙の頂部側に設けられ、該切断線に表示片の端部が挿入され、表示片の中途部が水引飾りで覆われることを特徴とする請求項１記載の金封。
【請求項３】
前記切断線が、挿入される表示片の表面側に突出して、表示片を押さえることが可能な突出片が形成されるような弧状に形成されていることを特徴とする請求項１記載の金封。
【請求項４】
前記切断線が、挿入される表示片の表面側に突出して、表示片を押さえることが可能な突出片が形成されるような弧状に形成されていることを特徴とする請求項２記載の金封。
【請求項５】
前記切断線が、金封本体の表紙の中央部に２本設けられ、表示片の両端側が表紙上に出るように表示片が２本の切断線に挿通され、水引飾りを装着した際に、２本の切断線の全部もしくは一部が水引飾りに覆われることを特徴とする請求項１記載の金封。
【請求項６】
前記切断線が、挿入される表示片の表面側に突出して、表示片を押さえることが可能な突出片が形成されるような弧状に形成されていることを特徴とする請求項５記載の金封。
【考案の詳細な説明】
【技術分野】
【０００１】
本考案は慶弔用の金封に関する。
【背景技術】
【０００２】
わが国では、従来より、結婚式等の慶事あるいは仏事には、不祝儀袋（以下金封という）に紙幣を包んで贈り、祝意、あるいは弔意を表す習慣となっている（例えば特許文献１）。
図４は、最も一般的な金封本体の展開図である。
金封本体１０は、表紙１２と、表紙１２に連接し、表紙１２の裏面側に表紙１２と重なるようにして折り返される裏表紙１４と、裏表紙１４の端縁部から表紙１２と裏表紙１４との間に折り込まれる折込み部１６と、裏表紙１４の裏側を覆うようにして折り返される上部折返し部１８および下部折返し部２０とを有する。
【０００３】
慶事用の金封の場合には、上部折返し部１８の端部が下部折返し部２０の端部の下側に来るように折り返され、この重なった部位にリング状の水引飾り２２が外装されて金封２４として使用される（図５、図６）。
また、仏事用には、逆に上部折返し部１８の端部が下部折返し部２０の端部に上側から重なるように折り返されて用いられる。
【０００４】
そして、慶事用であれば、「御祝」、「寿」等の文字と差出人の名前が、仏事用であれば、「御霊前」、「御仏前」、「御香典」等の文字と差出人の名前が記載される細長の表示片（いわゆる短冊：図示せず）が表紙１２と水引飾り２２との間に挿入して使用される金封がある。
ところで、このような金封は、慶事用であれば、あらかじめ「寿」、「御祝」、「御祝儀」等の用途目的の文字が記載された複数の表示片が、仏事用であれば、あらかじめ「御霊前」、「御仏前」、「御香典」等の用途目的の文字が記載された複数の表示片が用意され、使用者は、用途目的に合致した文字が表示された表示片を選択して、それに氏名を記載して用いるようにしている。
【特許文献１】特開２０００−２４７３６７
【考案の開示】
【考案が解決しようとする課題】
【０００５】
上記のような表示片を用いる金封は、通常、１つの金封に複数枚の表示片が用意されているが、これら表示片は、使用の際に脱落しないように、上辺の裏面側に接着剤が塗布され、そして、この接着剤を覆って剥離シートが被着されている表示片が用いられる。
使用者は、使用の際に、剥離シートを剥離して、表示片の上部を表紙１２に糊付けして用いる。
しかしながら、接着剤を塗布し、剥離シートを被着した表示片はコスト高となる。しかも、複数枚のうち、使用するのは１枚だけで、他は廃棄されるものであるので、余計にコスト高となるという課題があった。
本考案は上記事情に鑑みてなされたものであり、ゴミが出なく資源を大切にでき、コストの低減化が図れる金封を提供することを目的としている。
【課題を解決するための手段】
【０００６】
本考案に係る金封は、金封本体に水引飾りを装着してなる金封において、前記金封本体の表紙に、慶弔を表す文字と氏名とを表示するための表示片（短冊）の一部を挿入することにより表示片を保持可能な切断線が設けられていることを特徴とする。
【０００７】
前記切断線が、金封本体の表紙の頂部側に設けられ、該切断線に表示片の端部が挿入され、表示片の中途部が水引飾りで覆われることを特徴とする。
また、前記切断線が、挿入される表示片の表面側に突出して、表示片を押さえることが可能な突出片が形成されるような弧状に形成されていることを特徴とする。
【０００８】
前記切断線が、金封本体の表紙の中央部に２本設けられ、表示片の両端側が表紙上に出るように表示片が２本の切断線に挿通され、水引飾りを装着した際に、２本の切断線の全部もしくは一部が水引飾りに覆われることを特徴とする。
この場合の前記切断線も、挿入される表示片の表面側に突出して、表示片を押さえることが可能な突出片が形成されるような弧状に形成することができる。
【考案の効果】
【０００９】
請求項１によれば、表示片を切断線に挿入して保持できるので、従来のように、表示片に接着剤を塗布したり、剥離シートを貼付する必要がなく、工数の削減が図れ、ゴミが出なく資源を大切にでき、コストの低減化も図れる。
請求項２によれば、切断線が表紙の頂部側に設けられていて、表示片の端部が挿入されることによって、表示片の横ずれが防止され、また、表示片の中途部上に水引飾りが装着されることによって、表示片の浮き上がりと横ずれが防止される。
請求項３、４、６によれば、突出片によって表示片の表面を押すようにできるので、表示片の横ずれを抑えることができる。
請求項５によれば、切断線の全部または一部を水引飾りで隠すことができるので体裁がよくなる。
【考案を実施するための最良の形態】
【００１０】
以下本考案の好適な実施の形態を添付図面に基づき詳細に説明する。
金封本体１０は、従来のものと同じである。
すなわち、図４の展開図に示すように、金封本体１０は、表紙１２と、表紙１２に連接し、表紙１２の裏面側に表紙１２と重なるようにして折り返される裏表紙１４と、裏表紙１４の端縁部から表紙１２と裏表紙１４との間に折り込まれる折込み部１６と、裏表紙１４の裏側を覆うようにして折り返される上部折返し部１８および下部折返し部２０とを有する。
【００１１】
慶事用の金封本体１０の場合には、上部折返し部１８の端部が下部折返し部２０の端部の下側に来るように折り返され、この重なった部位にリング状の水引飾り２２が外装されて金封２４として用いられる（図５、図６）。
また、仏事用には、逆に上部折返し部１８の端部が下部折返し部２０の端部に上側から重なるように折り返されて用いられる。
【００１２】
本実施の形態に係る金封２４は、図１に示すように、金封本体１０に水引飾り２２を装着してなる金封２４において、金封本体１０の表紙１２に、慶弔を表す上記のような文字と氏名とを表示するための表示片２６の一部を挿入することにより表示片２６を保持可能な切断線２８が設けられていることを特徴とする。
【００１３】
図１に示す場合、切断線２８が、金封本体１０の表紙１２の頂部側に設けられ、該切断線２８に表示片２６の端部が挿入され、表示片２６の中途部が水引飾り２２で覆われるようになっている。
【００１４】
切断線２８は、横方向に直線的に伸びる切断線（図示せず）であってもよいが、本実施の形態の場合、挿入される表示片２６の表面側に突出して、表示片２６を押さえることが可能な突出片３０が形成されるような弧状に形成されている。
【００１５】
上記のように、切断線２８が表紙１２の頂部側に設けられていて、表示片２６の端部が挿入されることによって、表示片２６の横ずれが防止される。また、表示片２６の中途部上に水引飾り２２が装着されることによって、表示片２６の浮き上がりと横ずれが防止される。
【００１６】
表示片２６は、慶弔を表す文字がそれぞれあらかじめ表示された複数枚の表示片２６が用意され、使用者は、用途目的に合った表示片２６を選択し、氏名を記載して、切断線２８に端部を挿入して用いる。なお、慶弔を表す文字が記載されていない１枚のみの表示片２６を用意し、使用者が用途目的を表す文字と氏名とを記載して用いるようにしてもよい。
本実施の形態では、表示片２６に接着剤を塗布し、さらに剥離シートを貼付することを省略できるので、工数の削減、コストの低減化が図れる。
【００１７】
図２および図３は他の実施の形態を示す。
本実施の形態では、切断線２８ａ、２８ｂが、金封本体１０の表紙１２の中央部に２本設けられ、表示片２６の両端側が表紙１２上に出るように表示片２６が２本の切断線２８ａ、２８ｂに挿通され、水引飾り２２を装着した際に、２本の切断線２８ａ、２８ｂの全部もしくは一部が水引飾り２２に覆われることを特徴とする（図３）。このように、切断線２８ａ、２８ｂの全部もしくは一部が水引飾り２２に覆われるようにすることで体裁がよくなる。なお、図２は、切断線２８ａ、２８ｂを明確にするために、水引飾り２２を下辺側にずらした状態を示す説明図である。
【００１８】
本実施の形態でも、切断線２８ａ、２８ｂの少なくとも一方を、図１に示すような、挿入される表示片の表面側に突出して、表示片を押さえることが可能な突出片が形成されるような弧状に形成してもよい（図示せず）。
【００１９】
本実施の形態でも、表示片２６に接着剤を塗布し、さらに剥離シートを貼付することを省略できるので、工数の削減が図れ、ゴミが出なく資源を大切にでき、コストの低減化が図れる。
【図面の簡単な説明】
【００２０】
【図１】第１の実施の形態を示す金封の正面図である。
【図２】第２の実施の形態を示す金封の正面図である（水引飾りを下辺側にずらした状態）。
【図３】第２の実施の形態で、切断線を水引飾りで覆った状態を示す正面図である。
【図４】従来の金封の裏面側の展開図である。
【図５】折返し部を折り返した状態の説明図である。
【図６】金封の正面図である。
【符号の説明】
【００２１】
１２  表紙
１４  裏表紙
１６  折込み部
１８  上部折返し部
２０  下部折返し部
２２  水引き飾り
２４  金封
２６  表示片
２８、２８ａ、２８ｂ  切断線
３０  突出片
【図４】
0003148936.tif 000003
【図５】
0003148936.tif 000004
【図１】
0003148936.tif 000005
【図２】
0003148936.tif 000006
【図３】
0003148936.tif 000007
【図６】
0003148936.tif 000008